(57)【要約】【課題】製造が容易で、コストがかからず、かつ、保管が容易な表示板を提供する。【解決手段】組立てられたとき、全体が三角形状になる表示板１０は、対向する表示面１１ａ，１１ｂと、表示面１１ａ，１１ｂを接続する接続部１３ａ，１３ｂとを有し、接続部１３ａ，１３ｂは、表示面１１ａ，１１ｂの一部を切り欠くことによって形成され、一枚のシート材から形成される。【選択図】図１
2008250271.tif 000002
【特許請求の範囲】
【請求項１】
組立てられたとき、全体が三角形状になる表示板であって、
一方面と、
前記一方面に当接して設けられた他方面と、
前記一方面および他方面を接続する接続部とを有し、
前記接続部は前記一枚のシート材から切り取られることによって形成される、表示板。
【請求項２】
前記シート材は、ダンボール紙である、請求項１に記載の表示板。
【請求項３】
組立てられたとき、全体が三角形状になる表示板であって、
一方面と、
前記一方面に当接して設けられた他方面と、
前記一方面および他方面を接続する接続部とを有し、
前記接続部は、前記一方面および他方面のいずれかの一部を切り欠くことによって形成され、前記一方面および他方面は一枚のシート材から形成される、表示板。
【請求項４】
前記切り取られた接続部は前記一方面および他方面に設けられた溝に挿入される、請求項１または２に記載の表示板。
【請求項５】
前記一方面および他方面のいずれか他方には、前記接続部を受け入れる受入れ溝が形成されている、請求項１から４のいずれかに記載の表示板。
【請求項６】
前記接続部は第１寸法の幅を有し、前記受入れ溝の近傍には、前記第１寸法より小さい第２寸法の幅を有する切込みが設けられる、請求項５に記載の表示板。
【請求項７】
前記一方面と他方面とが当接しない側の端部には凹部が設けられ、前記凹部の一部には、前記接続部を保持するための溝が設けられる、請求項１から６のいずれかに記載の表示板。
【請求項８】
当該表示板は、正面から見たとき、上部に設けられた目に対応する一対の孔と、下端部に設けられた一対の脚部とを含み、
前記孔部は、第１幅寸法を有し、
前記接続部は、前記第１幅寸法より大きい第２幅寸法を有する両端部と、前記両端部の間に設けられ前記第１幅寸法より小さい第３幅寸法を有する中央部とを含む、請求項１または２に記載の表示板。
【請求項９】
前記孔部は矩形状部分と矩形状部分に連続して設けられた溝を含み、前記溝を介して前記接続部は、前記孔部に挿入される、請求項８に記載の表示板。
【発明の詳細な説明】
【技術分野】
【０００１】
この発明は、表示板に関し、特に、簡単に製造でき、持ち運びの容易な表示板に関する。
【背景技術】
【０００２】
従来の、軽量の表示板が、たとえば、特開２００４−２１９７９８号公報（特許文献１）や、特開平１１−９５７０６号公報（特許文献２）に開示されている。特許文献１によれば、複数の板状表示体を結合させてなるフロアスタンドパネルにおいて、板状表示体が表示体の裏面に備えた結合用係止部に係止される結合部材により結合され、表示体の最下部に脚部が取り付けられている。また、特許文献２によれば、下辺に脚部が延出形成された２枚の正面板が折り畳み可能に上辺で連接され、正面板の脚部を除く下辺同士が下辺を平行な中央折れ線で屈曲自在とされた底面板で連接され、さらに底面板には、全体の重心を下方に偏移させる重量が付加された表示板を開示している。
【特許文献１】特開２００４−２１９７９８号公報（要約）
【特許文献２】特開平１１−９５７０６号公報（要約）
【発明の開示】
【発明が解決しようとする課題】
【０００３】
従来の軽量の表示板は上記のように構成されていた。特許文献１においては、複数の部材からなる構成や、箱状に一体化された構成の表示板が開示されているが、複数の部材からなるものは組み立てが困難であるとともに、形状が複雑であるため、収納が困難であるという問題があった。また、箱状に一体化された形状では、安定して設置できないため、用途が限られるという問題があった。
【０００４】
特許文献２によれば、全体が三角形状で設置されたときに安定するとともに、折り畳みが可能であるが、異なる形状の複数の部材を組み合わせて構成されているため、製造が容易でなく、コストがかかるという問題があった。
【０００５】
この発明は上記のような問題点に鑑みてなされたもので、製造が容易で、コストがかからず、かつ、保管が容易な表示板を提供することを目的とする。
【課題を解決するための手段】
【０００６】
この発明に係る表示板は、組立てられたとき、全体が三角形状になる。表示板は、一方面と、一方面に当接して設けられた他方面と、一方面および他方面を接続する接続部とを有し、接続部は、一枚のシート材から切り取られることによって形成される。
【０００７】
表示板を構成する一方面と他方面を接続する接続部が、一枚のシート材から切り取られることによって形成されるため、製造が容易で、コストがかからず、かつ、保管が容易である。
【０００８】
なお、シート材はダンボール紙であってもよい。
【０００９】
この発明の他の実施の形態によれば、表示板は、組立てられたとき、全体が三角形状になる。表示板は、一方面と、一方面に当接して設けられた他方面と、一方面および他方面を接続する接続部とを有し、接続部は、一方面および他方面のいずれかの一部を切り欠くことによって形成され、一方面および他方面は一枚のシート材から形成される。
【００１０】
なお、切り取られた、または切り欠かれた接続部は一方面および他方面に設けられた溝に挿入されてもよい。
【００１１】
好ましくは、一方面および他方面のいずれか他方には、接続部を受け入れる受入れ溝が形成されている。
【００１２】
さらに好ましくは、接続部は第１寸法の幅を有し、受入れ溝の近傍には、第１寸法より小さい第２寸法の幅を有する切込みが設けられる。
【００１３】
さらに好ましくは、一方面と他方面とが当接しない側の端部には凹部が設けられ、凹部の一部には、接続部を保持するための溝が設けられる。
【００１４】
この発明の他の実施の形態によれば、表示板は、正面から見たとき、上部に設けられた目に対応する一対の孔部と、下端部に設けられた一対の脚部とを含み、孔部は、第１幅寸法を有し、接続部は、第１幅寸法より大きい第２幅寸法を有する両端部と、両端部の間に設けられ第１幅寸法より小さい第３幅寸法を有する中央部とを含む。
【００１５】
好ましくは、孔部は矩形状の孔部と矩形状の孔部に連続して設けられた溝を含みに連続して設けられた溝を含み、溝を介して接続部は、矩形状の開口部に挿入される。
【発明を実施するための最良の形態】
【００１６】
以下、この発明の実施の形態を図面を参照して説明する。図１はこの発明の一実施の形態に係る表示板の使用状態を示す図である。図１を参照して、表示板１０は、組立てられたとき、横から見て全体が三角形状であって、一方面と、一方面に頂部で当接するように設けられた他方面とからなる２つの表示面１１ａ，１１ｂと、２つの表示面１１ａ，１１ｂを接続する接続部１３ａ，１３ｂとを有している。表示板１０の中央部には、所望の表示を行う領域１４が設けられ、頂部近傍には、表示板１０を把持するための開口部１５が設けられている。ここでは、領域１４に「Ａ」という表示が行われている。
【００１７】
図２は、図１に示した表示板１０の展開図である。図２を参照して、表示面１１ａ，１１ｂは、当接部１２で相互に接続され、それぞれの側辺の一方に実線で示すようなＬ字状の切込み２１ａ，２１ｂと、点線で示すような、紙面から奥方向へ折り曲げられる折り曲げ部２２ａ，２２ｂを有する。一方、側辺の他方には、実線で示すような矩形状の切欠き１６ａ，１６ｂを設ける。切欠き１６ａ，１６ｂの当接部１２側には、溝１７ａ，１７ｂが設けられている。一方、接続部１３ａ，１３ｂは、切込み２１ａ，２１ｂを折り曲げ部２２ａ，２２ｂで折り曲げることによって形成され、接続部１３ａ，１３ｂの折り曲げ部２２ａ，２２ｂとは反対側には溝２３ａ，２３ｂが設けられている。なお、この溝２３ａ，２３ｂを設けることによって生じた突起部は、図１に示すように、使用前に切り取るものとする。
【００１８】
接続部１３ａ，１３ｂを折り曲げ部２２ａ，２２ｂで対向する側の表示面側に折り曲げ、溝２３ａ，２３ｂが溝１７ｂ，１７ａに嵌まり込むようにする。こうすることによって、図１に示すように、２つの表示面１１ａ，１１ｂが接続部１３ａ，１３ｂで接続される。なお、接続部１３ａ，１３ｂの幅を第１の寸法とし、溝１７ｂ，１７ａの当接部１２から離れる方向に、第１の寸法より小さい幅方向寸法を有する凹部１６ａ，１６ｂを設けたため、接続部１３ａ，１３ｂの溝２３ａ，２３ｂを容易に溝１７ｂ，１７ａに係合可能になる。
【００１９】
また、接続部１３ａ，１３ｂは、表示面１１，１２の一部を切り欠くことによって形成されているため、表示板１０は一枚の矩形状のシート材から簡単に形成される。また、図２に示す展開状態、または、これを当接部１２で折り畳んだ状態で表示板１０を保管できるため、製造が容易で、コストがかからず、かつ、保管が容易である。
【００２０】
シート材としては、ダンボール紙であってもよいし、プラスチックであってもよいし、プラスチックダンボールであってもよいが、軽量である方が好ましい。なお、軽量であれば、金属板や、その他の材料で構成されていてもよい。
【００２１】
次に、他の実施の形態について説明する。図３は、この発明の他の実施の形態を示す図である。上記実施の形態では、表示板のすべての構成部品が一体化されていた。この実施の形態においては、基本的な構成は図１および図２の場合と同様であるが、接続部が別部品とされている点が先の実施の形態と異なる。
【００２２】
図３および図４は、この実施の形態における先の実施の形態における図１および図２に対応する図である。図３および図４を参照して、表示板３０は、当接部３２で接続された２つの表示面３１ａ，３１ｂを含む。表示面３１ａ，３１ｂの両側辺にはそれぞれ溝３５ａ，３５ｂ，３６ａ，３６ｂが設けられている。表示板３０の当接部３２近傍には、表示板３０を把持するための開口部３７ａ，３７ｂおよびが設けられている。また、表示板３０の当接部３２とは反対側の端部には、当接部３２の反対側で表示板３０の脚部を形成するように凹部３４ａ，３４ｂが設けられている。
【００２３】
開口部３７ａ，３７ｂを形成するように、１枚のシート材から切り出された部材は、接続部３３ａ，３３ｂとして使用される。すなわち、接続部３３ａ，３３ｂが溝３５ａ，３５ｂ、および溝３６ａ，３６ｂに嵌め込まれて両表示面３１ａ，３１ｂを接続する。
【００２４】
なお、単に接続部３３ａ，３３ｂを溝３６ａ〜３６ｄに嵌め込むだけでもよいが、接続部３３ａ，３３ｂに図４（Ｂ）に示すような溝３８ａ，３８ｂを設け、この溝３８ａ，３８ｂを溝３５ａ，３５ｂ、および溝３６ａ，３６ｂに嵌め込むのが好ましい。
【００２５】
次に、この発明のさらに他の実施の形態について説明する。図５および図６は、この発明のさらに他の実施の形態を示す図である。図５は表示板の使用状態を示す図であり、図６は、その展開図である。図５および図６を参照して、この実施の形態においては、表示板４０は、先の実施の形態と異なり、横向きで使用される。表示板４０は、当接部４２で接続された２つの表示面４１ａ，４１ｂと、表示面４１ａ，４１ｂを接続するための接続部４７とを含む、また、表示板４０には、それ自身を把持するための開口部４３ａ，４３ｂと、凹部４６ａ，４６ｂとが設けられている。
【００２６】
凹部４６ａ，４６ｂの当接部４２側の片側の隅部には、幅方向に延びる溝４４ａ，４４ｂが設けられている。また、接続部４７は、一枚のシート材から開口部４３ａ，４３ｂを切り取った材料で構成されるのが好ましい。この場合の接続部を図６（Ｂ）に示す。図６（Ｂ）に示すように、接続部４７には、２箇所の溝４８ａ，４８ｂを設け、この溝４８ａ，４８ｂを溝４４ａ，４４ｂに係合させるのが好ましい。なお、ここでは、一例として表示面に矢印４５が表示されている。
【００２７】
表示板１０を軽量のシート材で構成した場合は、屋外等に設置した場合は、風等で移動される場合がある。これに対処するために、接続部と当接部とで形成される空間や、開口部に支持棒を挿入し、その支持棒を介して、重量物を支持して容易に移動しないようにしてもよい。そのような一例を図７に示す。図７は、図１に示した表示板１０の一部を破断して示した斜視図であり、接続部１３ａ，１３ｂと当接部１２とで形成される空間に三角形状の棒５１を貫通させ、この棒にたとえば、水の入ったペットボトル５３を袋５２を介して吊り下げ、それによって、表示板１０を移動しにくくした例を示している。
【００２８】
なお、これは一例であって、これ以外の任意の方法で、表示板を移動しにくくしてもよい。
【００２９】
また、上記実施の形態においては、表示板の当接部を上、または、横の特定の方向に向けた例を示したが、これに限らず、いずれの向きに向けて用いてもよい。
【００３０】
次に、この発明のさらに他の実施の形態について説明する。図８は、この発明のさらに他の実施の形態に係る表示板を示す図である。図８（Ａ）は、表示板６０の全体構成を示す斜視図であり、図８（Ｂ）は、図８（Ａ）に示した表示板６０の展開図であり、図８（Ｃ）はこの実施の形態における接続部を示す図であり、図８（Ｄ）は、接続部が挿入される孔部を示す図であり、図８（Ｅ）および（Ｆ）は、接続部の使用状態を示す図である。
【００３１】
図８を参照して、この実施の形態における表示板６０も基本的な構成は、上記した先の実施の形態と同様であるが、この実施の形態においては、表示板６０全体が、その正面（表示面６１ａ，６１ｂの存在する方向）から見ると、人間の形をしている点が異なる。すなわち、図８（Ａ）に示すように、表示板６０のそれぞれの表示面６１ａ，６１ｂの上端部は、その側辺に滑らかに接続される曲線部を有し、その下部には目に対応する一対の孔部６９ａ，６９ｂが設けられている。下端部には、一対の脚部６６ａ，６６ｂが設けられている。脚部６６ａ，６６ｂは、表示面６１ａ，６１ｂのそれぞれの側辺の下端部近傍に設けられた凹部６８ａ，６８ｂと、下端部に設けられた凹部６７とで挟まれるように形成されている。ここで、凹部６８ａ，６８ｂは上下方向に延在する両側辺が、上下方向から水平方向内部に延び、それらが交わることによって形成され、人間の腰部のような形状を有している。
【００３２】
次に、接続部６３ａ，６３ｂについて説明する。この実施の形態においても接続部６３ａ，６３ｂは開口部６５ａ，６５ｂから形成する。すなわち、図８（Ｃ）に示すように、開口部６５ａ，６５ｂは幅ａ１、長さｃの寸法を有し、接続部６３ａ，６３ｂは、幅ａ１、長さｂ１の寸法を有する。ここで、長さｃ＞ｂ１である。なお、ｂ１で示す部分は直線状である。また、接続部６３ａ，６３ｂはその両端部において、長さｂ２だけ、幅寸法ａ１を有しているが、その中央部分（長さｂ３で示す部分）はａ１より小さい幅寸法ａ２である。
【００３３】
図８（Ｄ）は、接続部６３ａ，６３ｂが挿入される孔部６９ａ，６９ｂを示す図である。図８（Ｄ）を参照して、孔部６９ａ，６９ｂは、幅寸法がａ３で、高さがｄ３の矩形状部分６９ｃと、矩形状部分６９ｃの上部中央部に形成された高さｄ２を有する溝６９ｄとを含む。したがって、孔６９は、高さ方向にｄ２＋ｄ３＝ｄ１の寸法を有する。また、ａ１≦ｄ１、ａ２≦ａ３≦ａ１とする。また、溝部６９ｄの幅は接続部６３ａ，６３ｂの厚さよりも大きい。
【００３４】
図８（Ｃ）で示した接続部６３ａで表示面６１ａ，６１ｂを接続するときは、接続部６３ａをそれぞれの表示面の孔６９ａ，６９ｂに挿入する。なお、接続部６３ｂも同様であるが、ここでは接続部６３ａについてのみ説明する。このとき、上記したように、ａ１≦ｄ１であるため、接続部６３ａを図８（Ｅ）のように縦向きにすれば、孔６９ａに挿入可能である。挿入後、図８（Ｅ）において矢印で示すように回転して図８（Ｆ）のように水平にすれば、接続部６３ａの中央部の幅ａ２は孔６９ａの幅ａ３より小さく、両端部は孔６９ａの幅ａ３よりも大きいため、図８（Ａ）で示すように接続部６３ａは孔６９ａ内に保持されるとともに、抜け落ちない。したがって、接続部がなくなることはない。また、これを折り畳んだ状態で収納してもかさばることなく、必要時には取り出して即使用可能になる。
【００３５】
なお、この実施の形態においては、開口部６５ａ，６５ｂの形状は、先の実施の形態のような矩形状ではなく、上部が直線で、下部は上部に平行で、上部より短い直線部分と、直線部分の両端部に設けられ、上部の直線に接続される曲線部とからなる形状であるが、接続部が切り出せる形状および寸法であれば、任意の形状であってもよい。また、接続部は、開口部から容易に切り出せるように、予め、切取線等が設けられているのが好ましい。
【００３６】
また、上記以外については、先の実施の形態と同様であるので、対応する部分に対応する参照番号を付してその説明は省略する。
【００３７】
なお、この実施の形態においても、図７に示したように、接続部に棒５１を通して、表示板を異動しにくくしてもよい。
【００３８】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【産業上の利用可能性】
【００３９】
この発明に係る表示板は、製造が容易で、コストがかからず、かつ、保管が容易であるため、表示板として有利に使用される。
【図面の簡単な説明】
【００４０】
【図１】この発明の一実施の形態に係る表示板を示す斜視図である。
【図２】図１に示した表示板の展開図である。
【図３】他の実施の形態に係る表示板を示す斜視図である。
【図４】図３に示した表示板の展開図である。
【図５】さらに他の実施の形態に係る表示板を示す斜視図である。
【図６】図５に示した表示板の展開図である。
【図７】表示板が容易に異動しないようにした状態を示す図である。
【図８】この発明のさらに他の実施の形態を示す図である。
【符号の説明】
【００４１】
１０，３０，４０，６０  表示板、１１，３１，４１，６１  表示面、１２，３２，４２，６２  当接部、１３，３３，４７，６３  接続部、１５，３７，４３，６５  開口部。
【図１】
2008250271.tif 000003
【図２】
2008250271.tif 000004
【図３】
2008250271.tif 000005
【図４】
2008250271.tif 000006
【図５】
2008250271.tif 000007
【図６】
2008250271.tif 000008
【図７】
2008250271.tif 000009
【図８】
2008250271.tif 000010